(57)【要約】  採光部材は、互いに採光特性を異ならせた第１採光部と第２採光部とを備え、第１採光部は、光透過性を有する第１基材と、第１基材の第１面に設けられた光透過性を有する複数の採光部と、を有し、入射光を所望の方向へ反射させて射出させ、第２採光部は、入射光を拡散させて射出させるもので、第１採光部と第２採光部とが採光部の延在方向に交差する方向に並べて設置されている。
2016002585.tif 000002
【特許請求の範囲】
【請求項１】
互いに採光特性を異ならせた第１採光部と第２採光部とを備え、
前記第１採光部は、光透過性を有する第１基材と、前記第１基材の第１面に設けられた光透過性を有する複数の突起部と、を有し、入射光を所望の方向へ反射させて射出させ、
前記第２採光部は、前記入射光を拡散させて射出させるもので、前記第１採光部と前記第２採光部とが前記第１面に平行な方向に並べて設置されており、
前記突起部の側面の一部が前記突起部に入射した光を反射する反射面として機能し、前記突起部に入射した光のうち任意の１本の光線が前記反射面に入射する点Ｆを通り、前記第１基材の前記第１面に垂直な仮想平面を境界とする２つの空間のうち、前記点Ｆに入射する前記光線が存在する側の空間を第１空間とし、前記点Ｆに入射する前記光線が存在しない側の空間を第２空間とした場合、前記反射面で反射して前記第１基材もしくは前記突起部から射出される光が、前記第１空間の側に進行する特性を有している採光部材。
【請求項２】
前記第１採光部と前記第２採光部とが前記突起部の延在方向に交差する方向に並べて設置されている請求項１に記載の採光部材。
【請求項３】
前記第１採光部と前記第２採光部との間に透過光量を調整する光量調整部が設けられており、
前記光量調整部における透過光量は、前記第１採光部および前記第２採光部の各々における透過光量よりも低い請求項１または２に記載の採光部材。
【請求項４】
前記光量調整部は、前記第１採光部側から前記第２採光部側にかけて透過光量が漸次低くなる特性を有している請求項１から３のいずれか一項に記載の採光部材。
【請求項５】
前記第１採光部と前記第２採光部との間に透明部材が設けられており、
前透明部材では、前記入射光の入射角度と射出光の射出角度とが略等しい状態で光が透過する請求項１から４のいずれか一項に記載の採光部材。
【請求項６】
前記第２採光部が、光の拡散方向に異方性を有しており、
前記第１空間及び前記第２空間の配置方向よりも、前記配置方向に交差する方向に平行な方向へ強く前記光を拡散させる請求項１から５のいずれか一項に記載の採光部材。
【請求項７】
前記第２採光部が、前記入射光を等方的に拡散させて射出する請求項１から５のいずれか一項に記載の採光部材。
【請求項８】
前記第２採光部が、前記第１採光部側の一端側から前記第２採光部の他端側にかけて光の透過率が漸次低くなる特性を有している請求項１から７のいずれか一項に記載の採光部材。
【請求項９】
前記第２採光部が、ルミネッセンス材料を含んで構成されている請求項１から５のいずれか一項に記載の採光部材。
【請求項１０】
採光部材と、
前記採光部材を被設置物に対して接着するための接着層と、を備え、
前記採光部材として、請求項１から９のいずれか一項に記載の採光部材を用いる採光装置。
【請求項１１】
採光部材と、
前記採光部材を被設置物に対して着脱可能に装着するための装着部と、を備え、
前記採光部材として、請求項１から９のいずれか一項に記載の採光部材を用いる採光装置。
【請求項１２】
採光機構と、
前記採光機構の下部から鉛直方向に吊下げられる遮光機構と、を備え、
前記採光機構として、請求項１から９のいずれか一項に記載の採光部材を用い、
前記遮光機構として、ロールスクリーンまたはブラインドを用いる採光装置。
【請求項１３】
採光スクリーンと、
前記採光スクリーンを巻き取り自在にする巻取機構と、を備え、
前記採光スクリーンとして、請求項１から９のいずれか一項に記載の採光部材を用いるロールスクリーン。
【請求項１４】
第１領域に所定の間隔を空けて並んで配置された複数の第１スラットと、
前記第１スラットの延在方向に交差する方向で前記第１領域と並んで配置された第２領域に所定の間隔を空けて並んで配置された複数の第２スラットと、
前記第１スラット及び前記第２スラットを互いに傾動自在に支持する傾動機構と、を備え、
前記第１スラットとして請求項１から９のいずれか一項に記載の採光部材の第１採光部を用い、
前記第２スラットとして請求項１から９のいずれか一項に記載の採光部材の第２採光部を用いるブラインド。
【発明の詳細な説明】
【技術分野】
【０００１】
本発明は、採光部材、採光装置、ロールスクリーン及びブラインドに関するものである。
本願は、２０１４年６月３０日に、日本に出願された特願２０１４−１３４８０５号に基づき優先権を主張し、その内容をここに援用する。
【背景技術】
【０００２】
従来より、窓ガラス等を通して屋外の自然光（太陽光）を屋内に効率良く採り入れるための技術として、採光部材を用いることが提案されている（例えば、特許文献１を参照。）。【０００３】
採光部材は、光透過性を有するフィルム（基材）の一面に複数のプリズム体（突起部）などが形成されたものである。採光部材は、窓ガラスに貼り付けられることによって、この窓ガラスに入射する光をプリズム体で光の進行方向を変えながら、屋内の天井や、側壁、床などに向けて照射する。【０００４】
また、天井に向かう光は、天井で反射して室内を照らすため、照明光の代わりとなる。
したがって、このような採光部材を用いた場合、日中に建物内の照明設備が消費するエネルギーを節約する省エネルギー効果が期待できる。
【先行技術文献】
【特許文献】
【０００５】
【特許文献１】特開２０１３−１４９０９号公報
【発明の概要】
【発明が解決しようとする課題】
【０００６】
従来では、窓ガラスの上側の領域に採光部材を設置していたが、採光量を増やすために採光領域（採光面積）を窓ガラスの下側の領域（室内に居る人の視線上部または下部までの範囲）にまで広げると、採光部材から射出された光が室内に居る人の眼に入りやすくなり、眩しさを感じるという問題がある。人が眩しさを感じる光をグレアと言う。【０００７】
本発明の一つの態様は、上記従来技術の問題点に鑑み成されたものであって、眩しさを感じる光（グレア）の増加を抑えつつ、屋外の自然光（太陽光）をより多く採り入れて室内の明るい環境を確保することのできる、採光部材、採光装置、ロールスクリーン及びブラインドを提供することができる。
【課題を解決するための手段】
【０００８】
本発明の一つの態様の採光部材は、互いに採光特性を異ならせた第１採光部と第２採光部とを備え、前記第１採光部は、光透過性を有する第１基材と、前記第１基材の第１面に設けられた光透過性を有する複数の突起部と、を有し、入射光を所望の方向へ反射させて射出させ、前記第２採光部は、前記入射光を拡散させて射出させるもので、前記第１採光部と前記第２採光部とが前記第１面に平行な方向に並べて設置されており、前記突起部の側面の一部が前記突起部に入射した光を反射する反射面として機能し、前記突起部に入射した光のうち任意の１本の光線が前記反射面に入射する点Ｆを通り、前記第１基材の第１面に垂直な仮想平面を境界とする２つの空間のうち、前記点Ｆに入射する前記光線が存在する側の空間を第１空間とし、前記点Ｆに入射する前記光線が存在しない側の空間を第２空間とした場合、前記反射面で反射して前記第１基材もしくは前記突起部から射出される光が、前記第１空間の側に進行する特性を有していることが好ましい。【０００９】
本発明の一つの態様の採光部材は、前記第１採光部と前記第２採光部とが前記突起部の延在方向に交差する方向に並べて設置されていることが好ましい。【００１０】
本発明の一つの態様の採光部材は、前記第１採光部と前記第２採光部との間に透過光量を調整する光量調整部が設けられており、前記光量調整部における透過光量は、前記第１採光部および前記第２採光部の各々における透過光量よりも低い構成としてもよい。【００１１】
本発明の一つの態様の採光部材は、前記光量調整部は、前記第１採光部側から前記第２採光部側にかけて透過光量が漸次低くなる特性を有している構成としてもよい。【００１２】
本発明の一つの態様の採光部材は、前記第１採光部と前記第２採光部との間に透明部材が設けられており、前透明部材では、前記入射光の入射角度と射出光の射出角度とが略等しい状態で光が透過する構成としてもよい。【００１３】
本発明の一つの態様の採光部材は、前記第２採光部が、光の拡散方向に異方性を有しており、前記第１空間及び前記第２空間の配置方向よりも、前記配置方向に交差する方向に平行な方向へ強く前記光を拡散させる構成としてもよい。【００１４】
本発明の一つの態様の採光部材は、前記第２採光部が、前記入射光を等方的に拡散させて射出する構成としてもよい。【００１５】
本発明の一つの態様の採光部材は、前記第２採光部が、前記第１採光部側の一端側から前記第２採光部の他端側にかけて光の透過率が漸次低くなる特性を有している構成としてもよい。【００１６】
本発明の一つの態様の採光部材は、前記第２採光部が、ルミネッセンス材料を含んで構成されている構成としてもよい。【００１７】
本発明の一つの態様の採光装置は、採光部材と、前記採光部材を被設置物に対して接着するための接着層と、を備える構成としてもよい。【００１８】
本発明の一つの態様の採光装置は、採光部材と、前記採光部材を被設置物に対して着脱可能に装着するための装着部と、を備える構成としてもよい。【００１９】
本発明の一つの態様の採光装置は、採光機構と、前記採光機構の下部から鉛直方向に吊下げられる遮光機構と、を備え、前記採光機構として、前記上記の採光部材を用い、前記遮光機構として、ロールスクリーンまたはブラインドを用いる構成とされていることが好ましい。【００２０】
本発明の一つの態様のロールスクリーンは、採光スクリーンと、前記採光スクリーンを巻き取り自在にする巻取機構と、を備え、前記採光スクリーンとして、上記の採光部材を用いる構成とされていることが好ましい。【００２１】
本発明の一つの態様のブラインドは、第１領域に所定の間隔を空けて並んで配置された複数の第１スラットと、前記第１スラットの延在方向に交差する方向で前記第１領域と並んで配置された第２領域に所定の間隔を空けて並んで配置された複数の第２スラットと、前記第１スラット及び前記第２スラットを互いに傾動自在に支持する傾動機構と、を備え、前記第１スラットとして上記の採光部材の第１採光部を用い、前記第２スラットとして上記の採光部材の第２採光部を用いる構成とされていることが好ましい。
【発明の効果】
【００２２】
以上のように、本発明の一つの態様によれば、グレアの増加を抑えつつ、屋外の自然光（太陽光）をより多く採り入れて室内の明るい環境を確保することのできる、採光部材、採光装置、ロールスクリーン及びブラインドを提供することを目的の一つとしている。
【図面の簡単な説明】
【００２３】
【図１】第１実施形態における採光部材の概略構成を示す断面図。
【図２】採光シートを構成する採光部を拡大して示す断面図。
【図３】採光部材の斜視図であって異方性光拡散シートを中心に示す図。
【図４】部屋モデルの一例を示す図。
【図５Ａ】比較例１としての採光部材（第１実施形態の第１採光部と同様の機能を有する採光部材）を窓ガラスの上部に設置した部屋モデルを示す図。
【図５Ｂ】比較例１の採光部材における光線追跡シミュレーションの結果を示すコンター図。
【図６Ａ】比較例２としての採光部材（第１実施形態の第１採光部と同様の機能を有する採光部材）を窓ガラスの所定の領域に設置した部屋モデルを示す図。
【図６Ｂ】比較例２の採光部材における光線追跡シミュレーションの結果を示すコンター図。
【図７Ａ】比較例３としての採光部材（第１実施形態の第２採光部と同様の機構を有する採光部材）を窓ガラスの上記設置領域に設置した部屋モデルを示す図。
【図７Ｂ】比較例３の採光部材における光線追跡シミュレーションの結果を示すコンター図。
【図８Ａ】第１実施形態の採光部材を窓に設置した部屋モデルを示す図。
【図８Ｂ】第１実施形態の採光部材における光線追跡シミュレーションの結果を示すコンター図。
【図９】第２実施形態における採光部材の概略構成を示す断面図。
【図１０】第２実施形態の採光部材を窓に設置した部屋モデルを示す図。
【図１１】第３実施形態の採光部材の概略構成を示す図。
【図１２】第３実施形態の採光部材を窓に設置した部屋モデルを示す図。
【図１３】第４実施形態の採光部材の概略構成を示す図。
【図１４】第４実施形態の採光部材を窓に設置した部屋モデルを示す図。
【図１５】第５実施形態の採光部材の概略構成を示す図。
【図１６】第５実施形態の採光部材を窓に設置した部屋モデルを示す図。
【図１７】第１実施形態の採光装置の外観を示す正面図。
【図１８】図１７のＡ−Ａ’線に沿う断面図。
【図１９】第２実施形態の採光装置の概略構成を示す斜視図。
【図２０】第２実施形態の採光装置の変形例を示す斜視図。
【図２１】第３実施形態の採光装置の一例であるロールスクリーンの外観を示す斜視図。
【図２２】図２１のＥ−Ｅ’線に沿う断面図。
【図２３】第４実施形態の採光装置に係るブラインドの構成を示す斜視図。
【図２４】第４実施形態の採光装置に係るブラインドの構成を示す断面図。
【図２５Ａ】ブラインドの要部を拡大した第１の斜視図。
【図２５Ｂ】ブラインドの要部を拡大した第２の斜視図。
【図２６】採光装置及び照明調光システムを備えた部屋モデルを示す図であって、図２７のＡ−Ａ’線に沿う断面図。
【図２７】部屋モデルの天井を示す平面図。
【図２８】採光装置によって室内に採光された光（自然光）の照度と、室内照明装置による照度（照明調光システム）との関係を示すグラフ。
【発明を実施するための形態】
【００２４】
以下、本発明の実施形態について、図面を参照して詳細に説明する。
なお、以下の全ての図面においては、各構成要素を見やすくするため、構成要素によって寸法の縮尺を異ならせて示すことがある。また、断面図において、構成を見やすくするため、ハッチングの図示を省略して示す場合がある。
【００２５】
［第１実施形態］
（採光部材）
先ず、本発明に係る第１実施形態の採光装置として、例えば、図１に示す採光部材１について説明する。なお、図１は、第１実施形態における採光部材１の概略構成を示す断面図である。図２は、採光シート５を構成する採光部を拡大して示す断面図である。図３は、採光部材１の斜視図であって異方性光拡散シート７を中心に示す。
【００２６】
本実施形態の採光部材１は、例えば、窓ガラス１００２に貼り付けた形態で太陽光を室内に採り入れるために用いられる。採光部材１は、図１に示すように、互いに採光特性を異ならせた第１採光部１０と第２採光部２０とを備えており、上下方向（Ｙ方向）に並べて設置されている。第１採光部１０は、入射光を所望の方向（上方）へ反射させて室内の天井へ向けて射出させる機能を有している。また、第２採光部２０は、入射光を等方的に拡散させて室内へ射出させる機能を有している。
採光部材１は、第１採光部１０が上側、第２採光部２０が下側となる向きで窓ガラス１００２に貼り付けられる。
【００２７】
第１採光部１０は、採光シート５、貼合基材６及び異方性光拡散シート７を主として構成されている。一方、第２採光部２０は、光散乱シート８から構成されている。
第１採光部１０における採光シート５は、光透過性を有する第１基材２と、第１基材２の第１面２ａに設けられた光透過性を有する複数の採光部（突起部）３と、採光部３どうしの間に形成される空隙部４と、を有して構成されている。
【００２８】
第１基材２としては、例えば熱可塑性ポリマーや熱硬化性樹脂、光重合性樹脂等の樹脂類等を有する光透過性の基材が用いられる。アクリル系ポリマー、オレフィン系ポリマー、ビニル系ポリマー、セルロース系ポリマー、アミド系ポリマー、フッ素系ポリマー、ウレタン系ポリマー、シリコーン系ポリマー、イミド系ポリマー等などを有する光透過性の基材が用いられる。具体的には、例えばトリアセチルセルロース（ＴＡＣ）フィルム、ポリエチレンテレフタレート（ＰＥＴ）フィルム、シクロオレフィンポリマー（ＣＯＰ）フィルム、ポリカーボネート（ＰＣ）フィルム、ポリエチレンナフタレート（ＰＥＮ）フィルム、ポリエーテルサルホン（ＰＥＳ）フィルム、ポリイミド（ＰＩ）フィルム等の光透過性の基材が好ましく用いられる。本実施形態では、一例として厚さが１００μｍのＰＥＴフィルムが用いられる。第１基材２の全光線透過率は例えば９０％以上が好ましい。これにより、十分な透明性が得られる。
【００２９】
採光部３は、例えばアクリル樹脂やエポキシ樹脂、シリコーン樹脂等の光透過性および感光性を有する有機材料で構成されている。これら樹脂に重合開始剤、カップリング剤、モノマー、有機溶媒などを混合した透明樹脂製の混合物を用いることができる。さらに、重合開始剤は安定剤、禁止剤、可塑剤、蛍光増白剤、離型剤、連鎖移動剤、他の光重合性単量体等のような各種の追加成分を含んでいてもよい。採光部３の全光線透過率は９０％以上が好ましい。これにより、十分な透明性が得られる。
【００３０】
採光部３は、一方向（図１の紙面と垂直な方向）に直線状に細長く延び、長手方向と直交する断面形状が、例えば、三角形の部材である。採光部３の長手方向は、第１基材２の１辺と平行である。複数の採光部３は、互いに平行し、鉛直方向に配置されている。
【００３１】
採光部３は、断面の三角形状の一例として、ここでは図２に示すように二等辺三角形である。採光部３の断面形状において、底面３Ａと面３Ｂとのなす角度θ１と、底面３Ａと面３Ｃとのなす角度θ２とはそれぞれ６５°である。また、採光部３は、面３Ｂ及び面３Ｃのうち、一方の面３Ｂから入射した光を他方の面３Ｃで反射することによって、太陽光を室内へ採光する機能を有する。この他方の面３Ｃを以下の説明では反射面３Ｃと呼ぶ。
【００３２】
採光部３は、内部に入射した光のうち任意の１本の光線が上記反射面３Ｃに入射する点Ｆを通って底面３Ａ側から射出される。ここで、第１基材２の第１面２ａに垂直、かつ採光部３の延在方向（Ｘ方向）に平行な仮想平面Ｅを境界とする２つの空間Ｓ１，Ｓ２のうち、点Ｆに入射する光線が存在する側の空間を第１空間Ｓ１とし、点Ｆに入射する光線が存在しない側の空間を第２空間Ｓ２とする。この場合において、上記採光部３は、反射面３Ｃで反射した光を、第１基材２の第２面２ｂ側から射出し、第１空間Ｓ１の側に進行させる特性を有している。
【００３３】
なお、採光部３の長手方向と直交する断面形状については上述した形状に限らない。三角形以外にも、台形、５角形、６角形などのような多角形であってもよいし、周側面の一部に曲面を有する形状であってもよい。
【００３４】
空隙部４には空気が存在している。したがって、空隙部４の屈折率は概ね１．０である。空隙部４の屈折率を１．０とすることにより、空隙部４と採光部３との界面における臨界角が最小となる。本実施形態の場合、空隙部４は、空気からなる空気層としたが、空隙部４は、窒素などの不活性ガスからなる不活性ガス層であってもよく、減圧状態とされた減圧層であってもよい。
【００３５】
図１に戻り、貼合基材６は、複数の採光部３を挟んで第１基材２の第１面２ａと対向するように配置されている。貼合基材６は、第１面６ａと複数の採光部３との間に設けられた第１接着層２１により採光シート５と接着されている。
【００３６】
異方性光拡散シート７は、第１基材２の第２面２ｂに設けられており、不図示の接着層により採光シート５と接着されている。異方性光拡散シート７は、採光シート５から射出された光を水平方向に強く拡散させるものである。具体的には、採光シート５から射出された光を、複数の採光部３の延在方向に交差する方向（Ｙ方向）よりも、複数の採光部３の延在方向（Ｘ方向）に平行な方向へ強く拡散させる。
【００３７】
異方性光拡散シート７は、図３に示すようにレンチキュラーレンズから成り、複数の凸レンズ２３を有して構成されている。複数の凸レンズ２３は各々が鉛直方向（Ｙ方向）に延び、各凸レンズ２３の延在方向に交差する方向（Ｘ方向）へ互いに平行に並べられている。つまり、複数の凸レンズ２３の配列方向（延在方向）は、上述した採光シート５の複数の採光部３の配列方向（延在方向）と直交することになる。
【００３８】
凸レンズ２３のレンズ面は、水平面内で曲率を持ち、鉛直方向には曲率を持っていない。このため、凸レンズ２３は、水平方向に互い光拡散性を有し、鉛直方向には光拡散性を有していない。したがって、採光シート５（採光部３）から射出されたときの上下方向の角度分布を維持したまま、水平方向に拡散されて射出される。
【００３９】
異方性光拡散シート７は、採光シート５と別体のものとされているが、採光シート５と一体とされていてもよい。例えば、採光シート５の第１基材２の第２面２ｂ側を加工して複数の凸レンズ２３を第１基材２と一体に形成してもよい。
【００４０】
図１に戻り、第２採光部２０を構成する光散乱シート８は、光透過性を有する樹脂１１中に複数の光散乱体１２が分散された構成となっている。樹脂１１としては、例えば、アクリル系樹脂、エポキシ系樹脂、シリコーン系樹脂等の樹脂に重合開始剤、カップリング剤、モノマー、有機溶媒などを混合した透明樹脂製の混合物を用いることができる。重合開始剤は安定剤、禁止剤、可塑剤、蛍光増白剤、離型剤、連鎖移動剤、他の光重合性単量体等のような各種の追加成分を含んでいてもよい。
【００４１】
光散乱体１２は、入射光を散乱させる作用を有する。光散乱体１２は、樹脂１１とは異なる屈折率を有する粒子（小片）である。光散乱体１２は、光散乱シート８の内部に混入され、凝集することなく分散されていることが望ましい。
【００４２】
光散乱体１２としては、例えばガラス類やアクリル系ポリマー、オレフィン系ポリマー、ビニル系ポリマー、セルロース系ポリマー、アミド系ポリマー、フッ素系ポリマー、ウレタン系ポリマー、シリコーン系ポリマー、イミド系ポリマー樹脂類などを有する光透過性材料が用いられる。あるいは、光散乱体１２は、樹脂１１中に分散した気泡であってもよい。光散乱体１２の形状は、例えば球形、楕円球形、平板形、多面体などであってもよい。
光散乱体１２のサイズは、例えば０．５〜２０μｍ程度であればよく、均一であってもよいし、異なっていてもよい。
【００４３】
光散乱シート８は、必ずしも樹脂１１中に光散乱体１２が分散された構成に限ることはなく、表面に凹凸が形成された層で構成されていてもよい。この場合、光散乱体１２を有しない樹脂１１の室内側の表面に凹凸が直接形成されていてもよい。
【００４４】
採光部材１は、第１基材２の第１面２ａに平行な方向、すなわち複数の採光部３の延在方向（Ｘ方向）に交差する方向（Ｙ方向）並べて設置された第１採光部１０と第２採光部２０とにより構成されている。なお、第１採光部１０と第２採光部２０とは、一体型であってもよいし、別体型であってもよい。
【００４５】
このような構成の採光部材１は、第１採光部１０及び第２採光部２０の一面側に設けられた第２接着層２２を介してその全体が窓ガラス１００２に貼り合せて設置される。具体的に、第２接着層２２は、貼合基材６の第２面６ｂから光散乱シート８の第２面８ｂに亘ってこれらの全面を覆う大きさを有している。  
【００４６】
以下、本実施形態の採光部材１を窓に設置した部屋モデルの一例について説明する。
図４は、部屋モデル１０００の一例を示す図である。
図４には、部屋１００３、天井１００３ａ、太陽光が入射する側の壁１００３ｂの上下方向に亘って設けられた窓ガラス１００２、床１００３ｃ、上記壁１００３ｂと対向する壁１００３ｄ、床１００３ｃに立っている人１００５が図示されている。
【００４７】
図４に示すように、部屋１００３はオフィスを例としており、部屋１００３の断面の形状は矩形である。部屋１００３の高さＨ（床１００３ｃから天井１００３ａまでの高さ）は、例えば２．７ｍである。例えば、部屋１００３の一面が窓であったとして、窓ガラス１００２に設置された採光部材１の床１００３ｃからの高さＨ２は、例えば０．７ｍである。
【００４８】
また、人１００５の眼の位置は、床１００３ｃから例えば０．８ｍ〜１．８ｍを想定している。例えば、床１００３ｃに立っている人１００５の眼の高さＨａは１．７ｍである。この眼の高さＨａに基づいて、人１００５の眼の位置の範囲を想定している。
【００４９】
窓ガラス１００２に設置された採光部材１のうち、第１採光部１０は、窓ガラス１００２における、人１００５の視線を遮らない部分（天井１００３ａから例えば０．７ｍの部分）に存在する。第２採光部２０は、人１００５の視線を遮る部分（第１採光部１０の下方）に存在する。
【００５０】
（光線追跡シミュレーション）
次に、光線追跡シミュレーションにより、比較例１〜３における採光部材の特性と、本実施形態における採光部材１の特性と、について調べた結果について述べる。
シミュレーションを実施した場所は日本国内である。シミュレーションのパラメータとして、シミュレーションを行った時期は春分の南中であり、太陽高度（入射角度）は５５°である。また、太陽からの直達光（直射光）による窓への鉛直面照度は４８３７３ｌｘで、直達光の太陽視における光の拡がりは、０．５２ｄｅｇである。また、採光部材が設置される窓の方角は南とする。
【００５１】
図５Ａ、図６Ａ、図７Ａに、比較例１〜比較例３の採光部材を窓に設置した部屋モデルを示し、図８Ａに本実施形態の採光部材を窓に設置した部屋モデルを示す。
また、図５Ｂ、図６Ｂ、図７Ｂに、比較例１〜比較例３の採光部材における光線追跡シミュレーションの結果を示し、図８Ｂに本実施形態の採光部材における光線追跡シミュレーションの結果を示す。図５Ｂ〜図８Ｂは、床から０．８５ｍの作業面照度（机上面照度）のコンター図であって、横軸が部屋の左右方向位置、縦軸が部屋の奥行方向位置を示し、各場所での照度を表している。
【００５２】
（比較例１）
図５Ａは、比較例１としての採光部材３００（本実施形態の第１採光部１０と同様の機能を有する採光部材）を窓ガラス１００２の上部の設置領域ｒに設置した部屋モデルを示す図であり、図５Ｂは、比較例１の採光部材３００における光線追跡シミュレーションの結果を示すコンター図である。
【００５３】
図５Ａに示すように、窓ガラス１００２の上部（床１００３ｃからの高さｈが２．０ｍの位置）には、採光部材３００が設置されている。採光部材３００によって採光された光の多くは、窓付近の天井１００３ａに向けて射出される。そのため、図５Ｂに示すように、部屋の奥行の方で照度の絶対値が低くなっている。つまり、窓ガラス１００２の上部に設置された採光部材３００では、部屋の奥の方まで光を導くことができないため、広範囲に亘って室内の照度を高めることができない。つまり、室内に居る人１００５が眩しく感じるのを避けるために、明るさが犠牲になってしまっている。
【００５４】
（比較例２）
図６Ａは、比較例２としての採光部材４００（本実施形態の第１採光部１０と同様の機能を有する採光部材）を窓ガラス１００２の所定の設置領域Ｒ（床１００３ｃからの高さｈが０．７ｍの位置）に設置した部屋モデルを示す図であり、図６Ｂは、比較例３の採光部材４００における光線追跡シミュレーションの結果を示すコンター図である。ここで、採光部材４００の設置領域Ｒは、上述した採光部材３００の設置領域ｒよりも広範囲である。
【００５５】
図６Ａに示すように、窓から入射した光は、採光部材４００によって屈折されて室内の天井１００３ａに向けて射出される。そのため、図６Ｂに示すように、採光部材４００は、室内の奥の方にまで多くの光を導くことができるため、室内の照度が向上した。しかしながら、人１００５の眼の高さに採光部材４００が存在するため、採光部材４００の下側の領域から射出された光の一部が人１００５に向かって進行することになり、室内に居る人１００５の眼に直接入ってしまう。
【００５６】
採光部材４００による室内の照度は、数百万ｃｄ／ｍ２にもなる。比較例１における採光部材３００を設置した部屋に比べると、採光部材４００によって室内の奥行き方向における明暗の差が解消し、室内全体の明るさが大幅に上昇している。しかしながら、採光部材４００によって屈折された光がグレアとなって窓付近にいる人１００５の眼に入りやすくなり、かなりの眩しさを感じさせてしまうことになる。
【００５７】
（比較例３）
図７Ａは、比較例３としての採光部材５００（本実施形態の第２採光部２０と同様の機能を有する採光部材）を窓ガラス１００２の上記設置領域Ｒ（床１００３ｃからの高さｈが０．７ｍの位置）に設置した部屋モデルを示す図であり、図７Ｂは、比較例２の採光部材５００における光線追跡シミュレーションの結果を示すコンター図である。
【００５８】
図７Ａに示すように、窓から入射した太陽光は、採光部材５００において等方的に光拡散されて射出される。比較例１における採光部材３００に比べると、図７Ｂに示すように、採光部材５００は光を部屋の奥の方まで導いていることが分かるが、採光部材５００による室内の照度は、人が眩しさを感じる８千ｃｄ／ｍ２である。つまり、窓ガラス１００２における採光部材５００の設置領域が広がったことによって、図５Ｂに示した比較例１の採光部材３００を設置した場合に比べると部屋の奥の方の明るさが増してはいるものの、多くの光が窓付近の天井１００３ａに集中してしまっている。そのため、窓から凡そ２ｍの位置に居る人１００５の眼にはグレアが入りやすくなり、眩しさを感じさせてしまうことになる。
【００５９】
図８Ａは、本実施形態の採光部材１を窓ガラス１００２の上記所定領域Ｒ（床１００３ｃからの高さｈが０．７ｍの位置）に設置した部屋モデルを示す図であり、図８Ｂは、本実施形態の採光部材１の光線追跡シミュレーションの結果を示すコンター図である。
図８Ａに示すように、窓から入射した光は、本実施形態の採光部材１によって採光された光の一部が部屋１００３の天井１００３ａに向かって射出されるとともに、それ以外の光は散乱光として床に向かって射出される。すなわち、採光部材１のうち、室内に居る人１００５の目線上（眼の位置）に存在する第２採光部２０によって採光された光の多くは、床１００３ｃに向かって射出される。仮に、人１００５に向かって進行する光があったとしても、直接眼に入るグレアは僅かであり、眩しさを感じるほどではない。採光部材１による照度は、室内に居る人１００５が眩しさを感じない程度（３．５千ｃｄ／ｍ２）である。
このように、本実施形態の採光部材１によれば、グレアを抑えつつ部屋１００３の奥の方の明るさを向上させることができた。
【００６０】
また、採光部材１の第２採光部２０の光透過率や光拡散度に関しては、主拡散方向（水平方向）の拡散角度（ＦＷＨＭ）が４２°、入射角度が５５°のときの太陽光の透過率が約３５％という条件で、上記光線追跡シミュレーションを行った。
【００６１】
第２採光部２０を透過する光の透過率が高い場合、採光量が多くなり室内の明るさが向上するが、眩しさが増すという問題が生じる。
【００６２】
また、第２採光部２０における光の拡散性が強い場合、ピーク輝度は低下するものの、天井方向に向かう光の成分が増え、人の眼にグレアが入り易くなる。第２採光部２０における光の拡散性が弱い場合、天井方向に光は届かないが、ピーク輝度も下がらない。
【００６３】
以上より、採光部材１を設置する環境としては、必要採光量や部屋の奥行き等に応じて、適切な透過率、拡散度を選択する必要がある。
また、第２採光部２０における光の透過率の分布が上下方向に傾斜していてもよい。例えば、第２採光部２０のうち、上側は第１採光部１０と同程度の輝度が得られ、下側は壁と同程度の輝度になるような透過率のグラデーションとなるように構成してもよい。
【００６４】
［第２実施形態］
次に、第２実施形態の採光部材の構成について述べる。
図９は、第２実施形態における採光部材の概略構成を示す断面図である。図１０は、第２実施形態の採光部材を窓に設置した部屋モデルを示す図である。
採光部材１３は、図９に示すように、第１採光部１０と第２採光部２０と遮光部（光量調整部）１４とを備えて構成されている。遮光部１４は、上下方向で並ぶ第１採光部１０と第２採光部２０との間に設けられている。遮光部１４の透過光量は、第１採光部１０および第２採光部２０の各々における透過光量よりも低い。
【００６５】
遮光部１４は、図１０に示すように、室内に居る人１００５の目線上、あるいは目線よりも若干上方となるように位置している。例えば、天井１００３ａが高い室内において、第２採光部２０が室内に居る人１００５の目線と同じ位置に存在する場合、第２採光部２０を透過した光がグレアとなって人１００５の目に入りやすくなり、眩しさを感じさせてしまう。そのため、室内に居る人１００５の目に入る直射光を遮光する目的で、第２採光部２０の上側に遮光部１４を設ける構成とした。本実施形態では、人１００５の目線の高さＨａに対応した位置であって、例えば床から１．４ｍ〜１．７ｍの高さに遮光部１４が存在する。
これにより、遮光部１４によってグレアが遮光され、室内に居る人１００５が眩しさを感じることがなくなる。
【００６６】
なお、遮光部１４は、第１採光部１０及び第２採光部２０の各々における透過光量よりも低い特性を有するものであれば、如何なる形態でも構わない。例えば、透過光量を減らす減光フィルムでもよいし、光透過率の低い光拡散フィルムであってもよい。
【００６７】
［第３実施形態］
次に、第３実施形態の採光部材の構成について述べる。
図１１は、第３実施形態の採光部材の概略構成を示す図である。図１２は、第３実施形態の採光部材を窓に設置した部屋モデルを示す図である。
【００６８】
採光部材１５は、図１１に示すように、第１採光部１０と第２採光部２０と透明部（透明部材）１６とを備えて構成されている。
透明部１６は、上下方向で並ぶ第１採光部１０と第２採光部２０との間に配置されている。透明部１６は、入射光の入射角度と射出光の射出角度とが略等しい状態で光を透過させる機能を有する。透明部１６は、光透過性を有する基材からなり、ガラス基材や樹脂基材等が挙げられる。
上記実施形態と同様、透明部１６は、図１２に示すように人１００５の目線の高さＨａに対応した位置であって、例えば床１００３ｃから１．４ｍ〜１．７ｍの位置に存在する。
【００６９】
採光部材１５のうち透明部１６に所定の角度で入射した光Ｌは、そのままの角度で射出されて床１００３ｃに向かって進行する。そのため、室内に居る人１００５が眩しさを感じることは殆どない。
【００７０】
また、人１００５の目線の高さＨａとほぼ同じ位置に透明部１６が存在する構成としたことにより、採光部材１５の透視性を向上させることができる。つまり、透明部１６から屋外を眺望することが可能なため、室内空間の印象を向上させることができる。さらに、窓ガラスの室内側にブラインドを設置した場合には、屋外を眺望する際に、ブラインドを開放させたり、上下に並ぶスラットの一部を手で押し下げるなどして隙間を空けなければならない。
【００７１】
しかしながら、ブラインドをその都度開放させることに手間がかかることや、スラットの破損等が生じ兼ねないという懸念があった。これに対し、本実施形態の採光部材１５によれば、予め透明部１６を設けておくことによって屋外の様子を自由に眺望することが可能になる。
【００７２】
［第４実施形態］
次に、第４実施形態の採光部材の概略構成について述べる。
図１３は、第４実施形態の採光部材の概略構成を示す図である。図１４は、第４実施形態の採光部材を窓に設置した部屋モデルを示す図である。
採光部材１７は、図１３に示すように、第１採光部１０と、第２採光部２４と、を備えて構成されている。本実施形態における第２採光部２４は、ルミネッセンス材料により形成されたフィルムであって、例えば蛍光フィルムあるいは蓄光（燐光）フィルムから成る。
【００７３】
第２採光部２４として、蛍光フィルムあるいは蓄光フィルムを用いる場合、太陽光を励起光としてその蛍光が発光される。このため、採光部材１７の輝度分布は太陽高度（入射角度）に依存せず、図１４に示す採光部材１７の法線方向の輝度が最も高くなる。そのため第２採光部２４では、光拡散の度合いは大きいものの、室内に居る人１００５の目線に入りやすくなる。このため、第２採光部２４における光の発光量を、室内に居る人１００５が眩しさを感じない程度に調整する必要がある。
【００７４】
本実施形態の採光部材１７において、第２採光部２４が蛍光材料を有する場合、様々な色の蛍光材料が開発されているため、デザイン性を付与することが可能となる。あるいは、第２採光部２４が蓄光材料（夜光材料）を有する場合、例えば停電時などにおいて目印にすることができる。窓際に懐中電灯などの防災用品をおいておけば、第２採光部２４の光を目印にしてすぐに懐中電灯を探し出すことができるので、停電時でも適切な対応が取れる。
【００７５】
［第５実施形態］
次に、第５実施形態の採光部材の概略構成について述べる。
図１５は、第５実施形態の採光部材の概略構成を示す図である。図１６は、第５実施形態の採光部材を窓に設置した部屋モデルを示す図である。
採光部材１８は、図１５及び図１６に示すように、第１採光部１０と第２採光部２５とを備えて構成されている。本実施形態における第２採光部２５は、光の拡散方向に異方性を有しており、第１採光部１０における複数の採光部３の延在方向に交差する方向よりもこれら採光部３の延在方向（水平方向）へ強く光を拡散させる特性を有する。すなわち、第１面２ａに垂直かつ採光部３の延在方向に平行な仮想平面Ｅを境界とする２つの空間Ｓ１，Ｓ２の配置方向よりも、当該配置方向に交差する方向に平行な方向へ強く光を拡散させるものである。これにより、第２採光部２５において、上下方向（Ｙ方向）よりも水平方向（Ｘ方向）へ強く光を拡散させることによって、直射光の輝度を抑えつつ採光することができる。
【００７６】
第２採光部２５として、例えば上述したレンチキュラーレンズからなる異方性光拡散シート７を採用してもよい。なお、第２採光部２５の構成については、レンチキュラーレンズに限らず、光の拡散性に異方性を有し、採光部３の延在方向（Ｘ方向）へ特異的に光を拡散することができればよい。
【００７７】
先の実施形態のように、光を等方的に散乱させる場合に比べて光の拡散度は小さくなる。そのため、必要に応じて、第２採光部２５の光入射側にＮＤフィルター（光量調節用フィルター）を配置して、室内に居る人１００５が眩しさを感じない程度に減光してもよい。
【００７８】
［第１実施形態の採光装置］（着脱可能タイプ）
次に、本発明に係る第１実施形態の採光装置として、例えば、図１７及び図１８に示す着脱式の採光装置１９について説明する。図１７は、窓に設置された状態の第１実施形態の採光装置の外観を示す正面図である。図１８は、図１７のＡ−Ａ’線に沿う断面図である。
【００７９】
採光装置１９は、図１７及び図１８に示すように、採光ユニット２７と、採光ユニット２７を窓枠（被設置物）１０９に対して着脱可能に装着するための複数の装着部２６と、を備えている。採光ユニット２７は、採光シート（採光部材）２８と、採光シート２８を支持するフレーム２９と、を有する。
【００８０】
採光シート２８としては、上述したいずれかの実施形態における採光部材を用いることができる。ここでは、採光シート２８の一例として、第１実施形態における採光部材１を用いる。採光部材１からなる採光シート２８は、第１採光部１０と第２採光部２０とを有する。なお、本実施形態においては、採光部材１を窓ガラス１００２に接着させるための第２接着層２２は不要なため、これを除いた構成となっている。
【００８１】
フレーム２９は、アルミニウム製の枠体からなり、採光シート２８の周囲を取り囲むようにして採光シート２８を平坦な状態で保持するものである。
【００８２】
このような構成を有する採光ユニット２７は、一対の装着部２６，２６により窓枠１０９の上部から吊り下げられた状態で設置される。装着された状態において、採光シート２８の貼合基材６（採光シート２８における微細構造面）側が窓ガラス１００２に対向した姿勢となっている。図１７及び図１８において、符号１００２は窓ガラス、符号１０８は窓サッシ、符号１０９は窓枠を表している。
【００８３】
本実施形態における採光装置１９は、装着部２６，２６と採光ユニット２７とから構成されており、装着部２６，２６を介して採光ユニット２７が窓枠１０９（窓ガラス１００２）に対して取り付けられている。そのため、採光装置１９は窓に対して着脱可能な仕組みとなっている。そのため、従来の窓ガラス１００２に直接貼り付ける形態のものと比較して、窓ガラス１００２に対する採光装置１９の取り付けまたは取り外しを容易に行うことができる。これにより、メンテナンス作業や採光ユニット２７の交換作業等を効率よく行うことができる。
【００８４】
［第２実施形態の採光装置］（ハイブリッド機構）
次に、本発明に係る第２実施形態の採光装置として、例えば、図１９に示す採光装置４０について説明する。
【００８５】
採光装置４０は、図１９に示すように、採光機構５１とその下端に接続された遮光機構５２とを備えて構成されている。採光機構５１は、先の実施形態で述べた採光ユニット２７と一対の装着部２６，２６とを有する。遮光機構５２は、遮光性を有したいわゆるロールスクリーンであって、遮光性スクリーン５３と、遮光性スクリーン５３を巻き取り自在に支持する巻取機構５５と、巻取機構５５によって支持された遮光性スクリーン５３を第１採光機構５１へと固定するための一対の接続部５４，５４と、を備えている。
【００８６】
巻取機構５５は、プルコード式として、遮光性スクリーン５３を引っ張り出した位置で固定させたり、引っ張り出した位置から更に引張りコード５６を引っ張ることで、固定を解除して遮光性スクリーン５３を巻芯５９に自動的に巻き取らせたりすることが可能である。なお、巻取機構５５については、このようなプルコード式に限らず、巻芯５９をチェーンで回転させるチェーン式の巻取機構や、巻芯５９をモータにより回転させる自動式の巻取機構などであってもよい。
【００８７】
例えば、部屋の壁面全体が窓ガラス１００２であるような場合に、先の実施形態で述べたような採光装置を窓枠に設置すると、床に近い側の窓の一部が開放状態となってしまう。
本実施形態の採光装置４０は、窓ガラス１００２の全面に対応した大きさを有しており、採光機構５１の下方に遮光機構５２を接続することによって、床に近い窓ガラスに対する遮光性を確保することができる。これにより、室内のプライバシーを保護しつつ、採光機構５１側における採光機能により室内を明るい環境とすることができる。
【００８８】
なお、遮光機構５２の構成としてはロールスクリーンに限られない。例えば、図２０に示すように、複数の遮光スラット５８とこれらを収納する収納ボックス５７とからなるブラインドを遮光機構５２として用いてもよい。
【００８９】
［第３実施形態の採光装置］（ロールスクリーン）
次に、本発明に係る第３実施形態の採光装置として、例えば、図２１及び図２２に示すロールスクリーン６０について説明する。図２１は、窓に設置された状態のロールスクリーン６０の外観を示す斜視図である。図２２は、図２１のＥ−Ｅ’線に沿う断面図である。また、以下の説明では、上記採光部材と同等の部位については、説明を省略すると共に、図面において同じ符号を付すものとする。
【００９０】
ロールスクリーン６０は、図２１に示すように、採光スクリーン６２と、採光スクリーン６２を巻き取り自在に支持する巻取機構６３と、を備えている。
採光スクリーン６２は、第１スクリーン６２Ａと、第１スクリーン６２Ａの下方に位置して第１スクリーン６２Ａとは異なる採光特性を有する第２スクリーン６２Ｂと、を有している。
【００９１】
採光スクリーン６２としては、上述したいずれかの実施形態における採光部材を用いることができる。採光スクリーン６２の一例として、第１実施形態における採光部材１を用いる。なお、本実施形態においては、採光スクリーン６２を窓ガラス１００２に接着させるための第２接着層２２は不要なため、これを除いた構成となっている。
具体的に、採光スクリーン６２を構成する第１スクリーン６２Ａはシート状の第１採光部１０からなり、第２スクリーン６２Ｂはシート状の第２採光部２０からなる。第１採光部１０及び第２採光部２０の厚みは、採光スクリーン６２に適した厚みとなっている。
【００９２】
巻取機構６３は、採光スクリーン６２の上端部に沿って取り付けられた巻芯６４と、採光スクリーン６２の下端部に沿って取り付けられた下パイプ６５と、採光スクリーン６２の下端部中央に取り付けられた引張りコード６６と、巻芯６４に巻き取られた採光スクリーン６２を収納する収納ケース６７とを備えている。
【００９３】
巻取機構６３は、プルコード式として、採光スクリーン６２を引っ張り出した位置で固定させたり、引っ張り出した位置から更に引張りコード６６を引っ張ることで、固定を解除して採光スクリーン６２を巻芯６４に自動的に巻き取らせたりすることが可能である。
【００９４】
なお、巻取機構６３については、このようなプルコード式に限らず、巻芯６４をチェーンで回転させるチェーン式の巻取機構や、巻芯６４をモータにより回転させる自動式の巻取機構などであってもよい。
【００９５】
以上のような構成を有するロールスクリーン６０は、窓ガラス１００２の上部に収納ケース６７を固定した状態で、この収納ケース６７に収納された採光スクリーン６２を引張りコード４０６で引っ張り出しながら、窓ガラス１００２の内面に対向させた状態で使用される。
【００９６】
採光スクリーン６２を全て引っ張り出した状態の場合、第１スクリーン６２Ａでは、採光スクリーン６２の一面に対して斜め上方から入射した光Ｌを光の進行方向を変えながら、室内の天井に向けて射出する。一方、第２スクリーン６２Ｂでは、採光スクリーン６２の一面に対して斜め上方から入射した光Ｌを等方的に拡散させて射出する。第２スクリーン６２Ｂは第１スクリーン６２Ａよりも下方に位置するため、窓ガラス１００２を通して室内に入射した光Ｌのうち、主にグレアとなる光や床に向かう光を拡散させて、室内に居る人に眩しさを感じさせないようにすることが可能である。
【００９７】
ロールスクリーン６０は、上述したように、巻取機構６３によって採光スクリーン６２の巻取あるいは巻出しを行うことにより、必要に応じて、採光機能の特性を切り替えることができる。
【００９８】
［第４実施形態の採光装置］（ブラインド）
次に、本発明に係る第４実施形態の採光装置として、例えば、図２３〜図２５Ｂに示すブラインド３０について説明する。
図２３は、第４実施形態の採光装置に係るブラインドの構成を示す斜視図である。図２４は、第４実施形態の採光装置に係るブラインドの構成を示す断面図である。
【００９９】
ブラインド（採光装置）３０は、図２３に示すように、互いに所定の間隔を空けて水平方向に平行に並ぶ複数のスラット３１と、複数のスラット３１を鉛直方向に吊下げ自在に支持する支持機構３２と、を主として構成される。ブラインド３０は、複数のスラット３１を昇降自在に支持するとともに、複数のスラット３１を傾動自在に支持している。
【０１００】
複数のスラット３１は、第１の採光部（第１領域）３４と、第１の採光部（第２領域）３６と、を有している。第１の採光部３４は、採光性を有する複数の第１スラット３３を備えて構成されている。第２の採光部３６は、光拡散性を有する複数の第２スラット３５を備えて構成されている。なお、以下の説明において、第１スラット３３と第２スラット３５とを特に区別しない場合は、スラット３１としてまとめて扱うものとする。
【０１０１】
本実施形態においては、図２４に示すように、第１スラット３３として上述した各実施形態の採光部材における第１採光部１０を用いる。また、第２スラット３５としては、上述したいずれかの実施形態における採光部材の第２採光部２０，２４，２５を用いる。但し、第１採光部１０及び第２採光部（２０，２４，２５）の厚みについては、スラット３１に適した厚みとなっている。
【０１０２】
図２５Ａ，図２５Ｂは、ブラインド３０の要部を拡大した斜視図であり、図２５Ａは、各スラット３１の間を開いた状態を示し、図２５Ｂは、各スラット３１の間を閉じた状態を示す。
【０１０３】
ラダーコード４９は、複数のスラット３１の中央部を挟んだ左右の両側に一対並んで配置されている。各ラダーコード４９は、図２５Ａ，図２５Ｂに示すように、互いに平行に並ぶ前後一対の縦コード３８ａ，３８ｂと、縦コード３８ａ，３８ｂの間に掛け渡された上下一対の横コード３９ａ，３９ｂと、を有し、且つ、横コード３９ａ，３９ｂが縦コード３８ａ，３８ｂの長手方向（鉛直方向）に等間隔に並んで配置された構成を有している。各スラット３１は、縦コード３８ａ，３８ｂと横コード３９ａ，３９ｂとの各間に挿入された状態で配置されている。
【０１０４】
図２３に示すように、固定ボックス４１は、互いに平行に並ぶ複数のスラット３１の最上部に位置して、これら複数のスラット３１と平行に並んで配置されている。一方、昇降バー３７は、互いに平行に並ぶ複数のスラット３１の最下部に位置して、これら複数のスラット３１と平行に並んで配置されている。各ラダーコード４９を構成する縦コード３８ａ，３８ｂ（図２５Ａ，図２５Ｂ）は、昇降バー３７の自重により鉛直下向きに引っ張られた状態で、固定ボックス４１より垂下されている。
【０１０５】
支持機構３２は、複数のスラット３１を昇降操作するための昇降操作部４２と、複数のスラット３１を傾動操作するための傾動操作部（傾動機構）４３とを備えている。
【０１０６】
昇降操作部４２は、図２３及び図２５Ａ，図２５Ｂに示すように、複数の昇降コード４４を有している。複数の昇降コード４４は、それぞれラダーコード４９を構成する縦コード３８ａ，３８ｂと平行に並んで配置されている。また、複数の昇降コード４４は、各スラット３１に形成された孔部４５を貫通した状態で、その下端部が昇降バー３７に取り付けられている。
【０１０７】
また、複数の昇降コード４４は、その上端側が固定ボックス４１の内部で引き回されて、固定ボックス４１の一方側に設けられた窓部４６から引き出されている。窓部４６から引き出された昇降コード４４は、操作コード４７の一端と連結されている。操作コード４７の他端は、昇降バー３７の一端部に取り付けられている。
【０１０８】
昇降操作部４２では、昇降バー３７が最下部に位置する状態から、操作コード４７を引っ張ることによって、昇降コード４４が固定ボックス４１の内側へと引き込まれる。これにより、複数のスラット３１が下部側から順に昇降バー３７の上に重なり合いながら、昇降バー３７と共に上昇する。昇降コード４４は、窓部４６の内側に設けられたストッパー（図示せず。）により固定される。これにより、昇降バー３７を任意の高さ位置で固定することができる。逆に、ストッパーによる昇降コード４４の固定を解除することによって、昇降バー３７を自重により降下させることができる。これにより、再び昇降バー３７を最下部に位置させることができる。
【０１０９】
傾動操作部４３は、図２３に示すように、固定ボックス４１の一方側に操作レバー４８を有している。操作レバー４８は、軸回りに回動自在に取り付けられている。傾動操作部４３では、操作レバー４８を軸回りに回動させることによって、ラダーコード４９を構成する縦コード３８ａ，３８ｂを互いに逆向きに上下方向に移動操作することができる。これにより、図２５Ａに示す各スラット３１の間を開いた状態と、図２５Ｂに示す各スラット３１の間を閉じた状態との間で、複数のスラット３１を互いに同期させながら傾動させることができる。
【０１１０】
以上のような構成を有するブラインド３０は、窓枠の上部から吊り下げられた状態で、窓ガラス１００２の内面１００２ａに複数のスラット３１を対向させた状態で配置される。
【０１１１】
［照明調光システム］
図２６は、採光装置及び照明調光システムを備えた部屋モデルを示す図であって、図２７のＡ−Ａ’線に沿う断面図である。図２７は、部屋モデル２０００の天井を示す平面図である。
【０１１２】
本発明において、外光が導入される部屋２００３の天井２００３ａを構成する天井材は、高い光反射性を有していてもよい。図２６及び図２７に示すように、部屋２００３の天井２００３ａには、光反射性を有する天井材として、光反射性天井材２００３Ａが設置されている。光反射性天井材２００３Ａは、窓２００２に設置された採光装置２０１０からの外光を室内の奥の方に導入することを促進することを目的とするもので、窓際の天井２００３ａに設置されている。具体的には、天井２００３ａの所定の領域Ｅ（窓２００２から約３ｍの領域）に設置されている。
【０１１３】
この光反射性天井材２００３Ａは、先に述べたように、本発明の採光装置２０１０（上述したいずれかの実施形態の採光装置）が設置された窓２００２を介して室内に導入された外光を室内の奥の方まで効率よく導く働きをする。採光装置２０１０から室内の天井２００３ａへ向けて導入された外光は、光反射性天井材２００３Ａで反射され、向きを変えて室内の奥に置かれた机２００５の机上面２００５ａを照らすことになり、当該机上面２００５ａを明るくする効果を発揮する。
【０１１４】
光反射性天井材２００３Ａは、拡散反射性であってもよいし、鏡面反射性であってもよいが、室内の奥に置かれた机２００５の机上面２００５ａを明るくする効果と、室内に居る人とって不快なグレアを抑える効果を両立するために、両者の特性が適度にミックスされたものが好ましい。
【０１１５】
本発明の採光装置２０１０によって室内に導入された光の多くは、窓２００２の付近の天井に向かうが、窓２００２の近傍は光量が十分である場合が多い。そのため、上記のような光反射性天井材２００３Ａを併用することによって、窓付近の天井（領域Ｅ）に入射した光を、窓際に比べて光量の少ない室内の奥の方へ振り分けることができる。
【０１１６】
光反射性天井材２００３Ａは、例えば、アルミニウムのような金属板に数十ミクロン程度の凹凸によるエンボス加工を施したり、同様の凹凸を形成した樹脂基板の表面にアルミのような金属薄膜を蒸着したりして作成することができる。あるいは、エンボス加工によって形成される凹凸がもっと大きな周期の曲面で形成されていてもよい。
【０１１７】
さらに、光反射性天井材２００３Ａに形成するエンボス形状を適宜変えることによって、光の配光特性や室内における光の分布を制御することができる。例えば、室内の奥の方に延在するストライプ状にエンボス加工を施した場合は、光反射性天井材２００３Ａで反射した光が、窓２００２の左右方向（凹凸の長手方向に交差する方向）に拡がる。部屋２００３の窓２００２の大きさや向きが限られているような場合は、このような性質を利用して、光反射性天井材２００３Ａによって光を水平方向へ拡散させるとともに、室内の奥の方向へ向けて反射させることができる。
【０１１８】
本発明の採光装置２０１０は、部屋２００３の照明調光システムの一部として用いられる。照明調光システムは、例えば、採光装置２０１０と、複数の室内照明装置２００７と、窓に設置された日射調整装置２００８と、これらの制御系と、天井２００３ａに設置された光反射性天井材２００３Ａと、を含む部屋全体の構成部材から構成される。
【０１１９】
部屋２００３の窓２００２には、上部側に採光装置２０１０が設置され、下部側に日射調整装置２００８が設置されている。ここでは、日射調整装置２００８として、ブラインドが設置されているが、これに限らない。
【０１２０】
部屋２００３には、複数の室内照明装置２００７が、窓２００２の左右方向（Ｙ方向）および室内の奥行き方向（Ｘ方向）に格子状に配置されている。これら複数の室内照明装置２００７は、採光装置２０１０と併せて部屋２００３の全体の照明システムを構成している。
【０１２１】
図２６及び図２７に示すように、例えば、窓２００２の左右方向（Ｙ方向）の長さＬ１が１８ｍ、部屋２００３の奥行方向（Ｘ方向）の長さＬ２が９ｍのオフィスの天井２００３ａを示す。ここでは、室内照明装置２００７は、天井２００３ａの横方向（Ｙ方向）及び奥行方向（Ｘ方向）に、それぞれ１．８ｍの間隔Ｐをおいて格子状に配置されている。
より具体的には、５０個の室内照明装置２００７が１０行（Ｙ方向）×５列（Ｘ方向）に配列されている。
【０１２２】
室内照明装置２００７は、室内照明器具２００７ａと、明るさ検出部２００７ｂと、制御部２００７ｃと、を備え、室内照明器具２００７ａに明るさ検出部２００７ｂ及び制御部２００７ｃが一体化されて構成されたものである。
【０１２３】
室内照明装置２００７は、室内照明器具２００７ａ及び明るさ検出部２００７ｂをそれぞれ複数ずつ備えていてもよい。但し、明るさ検出部２００７ｂは、各室内照明器具２００７ａに対して１個ずつ設けられる。明るさ検出部２００７ｂは、室内照明器具２００７ａが照明する被照射面の反射光を受光して、被照射面の照度を検出する。ここでは、明るさ検出部２００ｂによって、室内に置かれた机２００５の机上面２００５ａの照度を検出する。
【０１２４】
各室内照明装置２００７に１個ずつ設けられた制御部２００７ｃは、互いに接続されている。各室内照明装置２００７は、互いに接続された制御部２００７ｃにより、各々の明るさ検出部２００７ｂが検出する机上面２００５ａの照度が一定の目標照度Ｌ０（例えば、平均照度：７５０ｌｘ）になるように、それぞれの室内照明器具２００７ａのＬＥＤランプの光出力を調整するフィードバック制御を行っている。
【０１２５】
図２８は、採光装置によって室内に採光された光（自然光）の照度と、室内照明装置による照度（照明調光システム）との関係を示すグラフである。図２８において、縦軸は机上面の照度（ｌｘ）を示し、横軸は窓からの距離（ｍ）を示している。また、図中の破線は、室内の目標照度を示している。（●：採光装置による照度、△：室内照明装置による照度、◇：合計照度）
【０１２６】
図２８に示すように、採光装置２０１０により採光された光に起因する机上面照度は、窓近傍ほど明るく、窓から遠くなるに従ってその効果は小さくなる。本発明の採光装置２０１０を適用した部屋では、昼間において窓からの自然採光によりこのような部屋奥方向への照度分布が生じる。そこで、本発明の採光装置２０１０は、室内の照度分布を補償する室内照明装置２００７と併用して用いられる。室内天井に設置された室内照明装置２００７は、それぞれの装置の下の平均照度を明るさ検出部２００７ｂによって検出し、部屋全体の机上面照度が一定の目標照度Ｌ０になるように調光制御されて点灯する。従って、窓近傍に設置されているＳ１列、Ｓ２列はほとんど点灯せず、Ｓ３列、Ｓ４列、Ｓ５列と部屋奥方向に向かうに従って出力を上げながら点灯される。結果として、部屋の机上面は自然採光による照度と室内照明装置２００７による照明の合計で照らされ、部屋全体に亘って執務をする上で十分とされる机上面照度である７５０ｌｘ（「ＪＩＳ  Ｚ９１１０  照明総則」の執務室における推奨維持照度）を実現することができる。
【０１２７】
以上述べたように、採光装置２０１０と照明調光システム（室内照明装置２００７）とを併用することにより、室内の奥の方まで光を届けることが可能となり、室内の明るさをさらに向上させることができるとともに部屋全体に亘って執務をする上で十分とされる机上面照度を確保することができる。したがって、季節や天気による影響を受けずにより一層安定した明るい光環境が得られる。
【０１２８】
以上、添付図面を参照しながら本発明に係る好適な実施形態について説明したが、各実施形態における各構成及びそれらの組み合わせ等は一例であり、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【産業上の利用可能性】
【０１２９】
本発明の一つの態様は、グレアの増加を抑えつつ、屋外の自然光（太陽光）をより多く採り入れて室内の明るい環境を確保することが必要な採光部材、採光装置、ロールスクリーン及びブラインドなどに適用することができる。
【符号の説明】
【０１３０】
１，１３，１５，１７，１８，３００，４００，５００…採光部材、２…第１基材、２ａ…第１面、３…採光部（突起部）、３Ｃ…反射面、１０…第１採光部、１４…遮光部（光量調整部）、１６…透明部（透明部材）、１９，４０，２０１０…採光装置、２０，２４，２５…第２採光部、２６…装着部、２８…採光シート（採光部材）、３０…ブラインド（採光装置）、３１…スラット、３３…第１採光スラット、３５…第２スラット、４３…傾動操作部（傾動機構）、５１…採光機構、５２…遮光機構、５５，６３…巻取機構、６０…ロールスクリーン、６２Ａ，６２Ｂ…採光スクリーン、Ｓ１…第１空間、Ｓ２…第２空間、１０９…窓枠（被設置物）
【図１】
2016002585.tif 000003
【図２】
2016002585.tif 000004
【図３】
2016002585.tif 000005
【図４】
2016002585.tif 000006
【図５Ａ】
2016002585.tif 000007
【図６Ａ】
2016002585.tif 000008
【図７Ａ】
2016002585.tif 000009
【図８Ａ】
2016002585.tif 000010
【図９】
2016002585.tif 000011
【図１０】
2016002585.tif 000012
【図１１】
2016002585.tif 000013
【図１２】
2016002585.tif 000014
【図１３】
2016002585.tif 000015
【図１４】
2016002585.tif 000016
【図１５】
2016002585.tif 000017
【図１６】
2016002585.tif 000018
【図１７】
2016002585.tif 000019
【図１８】
2016002585.tif 000020
【図１９】
2016002585.tif 000021
【図２０】
2016002585.tif 000022
【図２１】
2016002585.tif 000023
【図２２】
2016002585.tif 000024
【図２３】
2016002585.tif 000025
【図２４】
2016002585.tif 000026
【図２５Ａ】
2016002585.tif 000027
【図２５Ｂ】
2016002585.tif 000028
【図２６】
2016002585.tif 000029
【図２７】
2016002585.tif 000030
【図５Ｂ】
2016002585.tif 000031
【図６Ｂ】
2016002585.tif 000032
【図７Ｂ】
2016002585.tif 000033
【図８Ｂ】
2016002585.tif 000034
【図２８】
2016002585.tif 000035
【国際調査報告】
2016002585.tif 000036
2016002585.tif 000037
2016002585.tif 000038
2016002585.tif 000039